(57)【要約】【課題】ユーザが、画像データの送信先である情報処理装置が処理可能なデータ形式を指定することなく画像データを送信する画像処理装置、方法およびプログラムを提供すること。【解決手段】本発明の画像処理装置は、原稿をスキャンして画像データを生成し、画像データの送信先である情報処理装置が処理可能な画像データのデータ形式を決定し、決定したデータ形式に画像データのデータ形式を変換し、ネットワークを介して情報処理装置に送信する。【選択図】図１
2013192150.tif 000002
【特許請求の範囲】
【請求項１】
ネットワークを介して情報処理装置に画像データを送信する画像処理装置であって、前記画像処理装置は、
原稿をスキャンして画像データを生成するスキャナと、
前記情報処理装置が処理可能な画像データのデータ形式を決定する決定手段と、
前記画像データのデータ形式を前記情報処理装置が処理可能なデータ形式に変換する変換手段と、
データ形式を変換した画像データを前記情報処理装置に送信する送信手段と
を含む、画像処理装置。
【請求項２】
前記画像処理装置は、
ユーザが操作を指示する操作手段と、
ユーザが前記画像処理装置に対する操作を指示可能なＵＩを前記操作手段に表示するＵＩ制御手段とを備えており、
ユーザが前記ＵＩを使用して、１度に複数の送信先を指定して画像データの送信を指示した場合に、前記画像データのデータ形式を、前記複数の送信先である情報処理装置それぞれが処理可能なデータ形式に変換して送信する、請求項１に記載の画像処理装置。
【請求項３】
ネットワークを介して情報処理装置に画像データを送信する画像処理装置が実行する方法であって、前記方法は、前記画像処理装置が、
原稿をスキャンして画像データを生成するステップと、
前記情報処理装置が処理可能な画像データのデータ形式を決定するステップと、
前記画像データのデータ形式を前記情報処理装置が処理可能なデータ形式に変換するステップと、
データ形式を変換した画像データを前記情報処理装置に送信するステップと
を含む、方法。
【請求項４】
前記方法は、前記画像処理装置が、
ユーザが前記画像処理装置に対する操作を指示可能なＵＩを前記画像処理装置の操作手段に表示するステップをさらに含み、
前記画像処理装置は、ユーザが前記ＵＩを使用して１度に複数の送信先を指定して画像データの送信を指示した場合に、前記請求項３に記載のステップを実行する、請求項３に記載の方法。
【請求項５】
請求項３または４に記載の各ステップを画像処理装置が実行するためのコンピュータ実行可能なプログラム。
【発明の詳細な説明】
【技術分野】
【０００１】
本発明は、画像処理装置に関し、より詳細には、スキャンして生成した画像データを配信する画像処理装置、方法およびプログラムに関する。
【背景技術】
【０００２】
近年、スマートフォンやタブレット端末等の可搬型情報処理装置の急速な普及に伴い、利用者が、ＭＦＰ（Multiple Function Peripheral）等の画像処理装置でスキャンして生成した画像データを、これらの情報処理装置にメールで配信する機会が増えている。
【０００３】
画像データを情報処理装置に送信する画像処理装置の一例として、特許文献１は、ユーザが予め指定したデータ形式で画像データを生成し、当該データを情報処理装置に出力する画像処理装置を開示する。
【発明の概要】
【発明が解決しようとする課題】
【０００４】
しかしながら、画像データの送信先である情報処理装置は、装置毎に処理可能な画像データの形式が異なるため、特許文献１が開示する画像処理装置では、画像データを情報処理装置に送信する際に、ユーザが送信先の情報処理装置が処理可能なデータ形式を指定しなければならないという問題があった。
【０００５】
特に、複数の送信先に画像データを送信する場合、ユーザが、送信先である各情報処理装置が処理可能なデータ形式を判断し、情報処理装置それぞれについて、当該データ形式で画像データを生成するよう画像処理装置に指示しなければならない。さらに、画像データを各情報処理装置に送信するために、ユーザが画像処理装置に対し、送信先毎に画像データの送信を指示しなければならず、ユーザビリティが低いという問題があった。
【０００６】
本発明は、上述した従来技術の問題点に鑑みてなされたものであり、ユーザが、画像データの送信先である情報処理装置が処理可能なデータ形式を指定することなく画像データを送信する画像処理装置、方法およびプログラムを提供することを目的とする。
【課題を解決するための手段】
【０００７】
本発明の画像処理装置は、原稿をスキャンして画像データを生成し、画像データの送信先である情報処理装置が処理可能な画像データのデータ形式を決定し、当該データ形式に画像データのデータ形式を変換し、ネットワークを介して情報処理装置に送信する。
【発明の効果】
【０００８】
本発明は、上記構成要件を採用することにより、ユーザが、画像データの送信先である情報処理装置が処理可能なデータ形式を指定することなく画像データを送信することができ、画像データを配信する際のユーザビリティを向上させることができる。
【図面の簡単な説明】
【０００９】
【図１】本発明の画像処理装置の構成を示す図。
【図２】本発明の画像処理装置が実行する処理を示すシーケンス図。
【図３】本発明の画像処理装置が実行する処理の一実施形態を示すフローチャート。
【図４】本発明の画像処理装置が実行する処理の別の実施形態を示すフローチャート。
【図５】ユーザ情報が登録されるユーザ情報テーブルの一実施形態を示す図。
【図６】図３に示す実施形態の画像処理装置が、画像データの送信先である情報処理装置が処理可能なデータ形式を特定するために使用するデータテーブルの一実施形態を示す図。
【図７】図４に示す実施形態の画像処理装置が、画像データの送信先である情報処理装置が処理可能なデータ形式を特定するために使用するデータテーブルの一実施形態を示す図。
【発明を実施するための形態】
【００１０】
以下、本発明について実施形態をもって説明するが、本発明は、後述する実施形態に限定されるものではない。
【００１１】
図１は、本発明の画像処理装置の構成を示す図である。画像処理装置１００は、文字や数字、記号、画像等を含む原稿をスキャンして画像データを生成し、ＬＡＮやインターネット等ネットワークを介して、情報処理装置に画像データを配信する装置である。
【００１２】
画像処理装置１００は、プロセッサ、ＲＯＭ、ＲＡＭおよびハードディスク装置（ＨＤＤ）２０６を備えており、ＷＩＮＤＯＷＳ（登録商標）シリーズ、ＵＮＩＸ（登録商標）、ＬＩＮＵＸ（登録商標）などのＯＳの管理下でアセンブラ、Ｃ、Ｃ＋＋、ＪＡＶＡ（登録商標）、ＪＡＶＡＳＣＲＩＰＴ（登録商標）、ＰＥＲＬ、ＲＵＢＹ、ＰＹＴＨＯＮなどのプログラム言語で記述された本発明のプログラムをＲＡＭに展開して実行することにより、後述する各機能手段を画像処理装置１００は上に実現する。
【００１３】
画像処理装置１００は、操作パネル１０２と、ＵＩ（User Interface）制御部１０４と、記憶装置１０６と、ジョブスケジューラ１０８とを含んで構成される。
【００１４】
操作パネル１０２は、ユーザが画像処理装置１００に対して操作を指示する手段である。操作パネル１０２は、ユーザからの各種指示を受け付けるＵＩを表示する。操作パネル１０２には、原稿をスキャンする際の種々の条件（例えば、解像度、画像品質、色の指定等）（以下、「スキャン条件」とする。）を指定する画面、画像データの送信先を指定する画面、画像データのスキャンおよび送信処理等のジョブの実行を指示する画面等のＵＩが表示される。
【００１５】
ユーザは、これらの画面を利用して、スキャン条件や画像データの送信先を指定し、ジョブの実行を指示することができる。画像データの送信先を指定する画面には、画像データを送信可能な複数の送信先が表示され、ユーザは、一度に複数の画像データの送信先を指定することができる。操作パネル１０２は、ユーザからの各種指示を受け付けると、当該指示をＵＩ制御部１０４に通知する。
【００１６】
ＵＩ制御部１０４は、操作パネル１０２を制御する機能手段である。ＵＩ制御部１０４は、上述したＵＩを操作パネル１０２に表示する。ＵＩ制御部１０４は、ＵＩ制御部１０４からユーザの指示を受け付けると、当該指示に応じた処理を実行する。
【００１７】
具体的には、ＵＩ制御部１０４は、画像データの送信先の選択画面の表示指示を受け付けると、記憶装置１０６に保存されたユーザ情報テーブルを参照し、画像データの送信先情報を取得し、当該送信先情報を含む画像データの送信先の選択画面を操作パネル１０２に表示する。画像データの送信先情報には、ユーザ名、所属部署、電話番号、メールアドレスが含まれており、一度に複数の送信先を指定することができる。また、画像データの送信先の選択画面は、送信先の情報処理装置の種類を指定することができる。なお、ユーザ情報テーブルについては、図５を参照して詳述する。
【００１８】
また、ＵＩ制御部１０４は、ジョブである画像データのスキャンおよび送信処理の実行指示を受け付けると、ユーザが指定したスキャン条件や画像データの送信先（以下、「送信先指定情報」とする。）と共に、当該ジョブの実行指示をジョブスケジューラ１０８に通知する。送信先指定情報には、画像データの送信先であるメールアドレスや送信先の情報処理装置の種類を示す情報（以下、「装置種類情報」とする。）が含まれる。
【００１９】
ジョブスケジューラ１０８は、画像処理装置１００に含まれるスキャナ制御部１１０と、スキャナ１１２と、画像処理部１１４と、変換部１１６と、メール処理部１１８と、通信制御部１２０とを用いて、ジョブの実行を制御する。
【００２０】
スキャナ制御部１１０は、スキャナ１１２および画像処理部１１４を制御する機能手段である。スキャナ制御部１１０は、ジョブスケジューラ１０８からスキャンの実行指示を受信すると、スキャン条件に従ってスキャナ１１２に原稿をスキャンさせ、画像データを生成する。スキャナ制御部１１０は、画像処理部１１４を制御して、スキャン条件に応じた種々の画像処理を当該画像データに施す。
【００２１】
スキャナ１１２は、原稿をスキャンして画像データを生成する装置である。スキャナ１１２は、光源やＣＣＤ（Charge
Coupled Device）イメージセンサ等を含んで構成されており、原稿を走査して画像データを生成する。
【００２２】
画像処理部１１４は、スキャン条件に従って画像データに画像処理を施す機能手段である。画像処理部１１４は、例えば、スキャン条件として指定されたカラーやモノクロ等の色に画像データの色を変更する。
【００２３】
変換部１１６は、画像データのデータ形式を変換する機能手段である。変換部１１６は、ジョブスケジューラ１０８が決定する画像データの送信先の情報処理装置に適したデータ形式に画像データのデータ形式を変換する。
【００２４】
メール処理部１１８は、画像データを送信先の情報処理装置にメール送信する機能手段である。メール処理部１１８は、データ形式が変更された画像データをメールに添付し、通信制御部１２０を介して、送信先情報が示す情報処理装置に当該メールを送信する。
【００２５】
通信制御部１２０は、画像処理装置１００に接続されたインターネット等のネットワークを介したデータ通信を制御する機能手段である。通信制御部１２０は、ネットワークを介して、送信先情報が示す情報処理装置に画像データを送信する。
【００２６】
図２は、本発明の画像処理装置が実行する処理を示すシーケンス図である。以下、画像処理装置１００が画像データを生成してメール配信する処理のシーケンスについて説明する。
【００２７】
図２に示す実施形態では、まず、ユーザが画像処理装置１００の操作パネル１０２を用いて原稿をスキャンする際の種々の条件（以下、「スキャン条件」とする。）、例えば、画像品質や色の指定等のスキャン条件を指定する。操作パネル１０２は、ＵＩ制御部１０４にスキャン条件を通知する。
【００２８】
次に、ユーザは操作パネル１０２を用いて、画像データの送信先の選択画面の表示を指示する。操作パネル１０２は、ＵＩ制御部１０４に当該指示を受け付けたことを通知する。ＵＩ制御部１０４は、記憶装置１０６から送信先情報を取得し、当該送信先情報を含む画像データの送信先の選択画面を操作パネル１０２に表示する。
【００２９】
次に、ユーザは操作パネル１０２に表示された画像データの送信先の選択画面を利用して画像データの送信先を選択し、ジョブである画像データのスキャンおよび送信処理の実行を指示する。操作パネル１０２は、当該ジョブの実行指示を受け付けた旨の通知と共に、ユーザが選択した画像データの送信先を示す送信先指定情報をＵＩ制御部１０４に送信する。ＵＩ制御部１０４は、当該ジョブの実行指示を受け付けた旨の通知と共に、スキャン条件および送信先指定情報をジョブスケジューラ１０８に送信する。
【００３０】
ジョブスケジューラ１０８は、スキャナ制御部１１０にスキャン条件を提供してスキャンの実行を指示する。スキャナ制御部１１０は、原稿をスキャンして画像データを生成し、画像処理部１１４に当該画像データの画像処理を指示する。画像処理部１１４は、スキャン条件に従って当該画像データに画像処理を施す。
【００３１】
次に、ジョブスケジューラ１０８は、記憶装置１０６に構築されたデータテーブルを参照し、送信先指定情報が示す送信先に対応するデータ形式を特定する。ジョブスケジューラ１０８は、変換部１１６を呼び出し、変換部１１６が画像データのデータ形式を当該送信先に対応するデータ形式に変換する。ジョブスケジューラ１０８は、送信先指定情報が示す総ての送信先について、送信先の情報処理装置それぞれが処理可能なデータ形式を特定し、変換部１１６は、当該データ形式に画像データのデータ形式を変換する。
【００３２】
総ての送信先について画像データのデータ形式を変換すると、ジョブスケジューラ１０８は、メール処理部１１８を呼び出し、メール処理部１１８が、データ形式の変更された画像データをメールに添付し、通信制御部１２０を介して、送信先指定情報が示す総ての送信先に当該メールを送信する。
【００３３】
図３は、本発明の画像処理装置が実行する処理の一実施形態を示すフローチャートである。以下、図３を参照して、画像処理装置１００が実行する画像データのスキャンおよび送信処理について説明する。
【００３４】
図３に示す処理は、ユーザが操作パネル１０２を用いて、画像データのスキャンおよび送信処理の実行を指示することにより、ステップＳ３００から開始する。ステップＳ３０１では、スキャナ制御部１１０が、原稿をスキャンして画像データを生成する。ステップＳ３０２では、画像処理部１１４が、スキャン条件に従って画像データに画像処理を施す。
【００３５】
ステップＳ３０３では、ジョブスケジューラ１０８は、送信先指定情報に含まれるメールアドレスからドメインを抽出する。ステップＳ３０４では、ジョブスケジューラ１０８は、記憶装置１０６に保存された図６に示すデータテーブルを参照し、当該ドメインと一致するドメインが存在するか否か判断する。一致するドメインが存在する場合には（ｙｅｓ）、処理をステップＳ３０５に分岐させる。ステップＳ３０５では、ジョブスケジューラ１０８は、図６に示すデータテーブルを参照し、当該ドメインに関連付けられたデータ形式を特定し、変換部１１６が、画像データのデータ形式を当該ドメインに関連付けられたデータ形式に変更する。
【００３６】
一方、ステップＳ３０４で一致するドメインが存在しないと判断した場合には（ｎｏ）、処理をステップＳ３０６に分岐させる。ステップＳ３０６では、変換部１１６が、画像データのデータ形式をデフォルトのデータ形式に変更する。本実施形態では、デフォルトのデータ形式として任意のデータ形式を採用することができる。
【００３７】
ステップＳ３０７では、ジョブスケジューラ１０８は、送信先指定情報が示す総ての送信先について、ステップＳ３０３〜ステップＳ３０６の処理を実行したか否か判断する。総ての送信先について当該処理を実行していない場合には（ｎｏ）、処理をステップＳ３０３に戻し、総ての送信先について当該処理を実行する。一方、総ての送信先について当該処理を実行した場合には（ｙｅｓ）、処理をステップＳ３０８に分岐させる。ステップＳ３０８では、メール処理部１１８が、データ形式が変換された画像データをメールに添付し、送信先指定情報が示す送信先に当該メールを送信し、ステップＳ３０９で処理が終了する。
【００３８】
図４は、本発明の画像処理装置が実行する処理の別の実施形態を示すフローチャートである。以下、図４を参照して、画像処理装置１００が実行する画像データのスキャンおよび送信処理について説明する。
【００３９】
図４に示す処理は、ユーザが操作パネル１０２を用いて、画像データのスキャンおよび送信処理の実行を指示することにより、ステップＳ４００から開始する。ステップＳ４０１では、スキャナ制御部１１０が、原稿をスキャンして画像データを生成する。ステップＳ４０２では、画像処理部１１４が、スキャン条件に従って画像データに画像処理を施す。
【００４０】
ステップＳ４０３では、ジョブスケジューラ１０８は、送信先指定情報に含まれる装置種類情報が示す送信先の情報処理装置の種類を判断する。情報処理装置の種類がスマートフォン以外の携帯電話またはタブレット端末以外のＰＣである場合には、処理をステップＳ４０４に分岐させる。ステップＳ４０４では、ジョブスケジューラ１０８は、図７に示すデータテーブルを参照し、当該情報処理装置に種類に関連付けられたデータ形式を特定し、変換部１１６が、画像データのデータ形式を当該ドメインに関連付けられたデータ形式に変更する。
【００４１】
一方、ステップＳ４０３で情報処理装置の種類がスマートフォンまたはタブレット端末であると判断した場合には、処理をステップＳ４０５に分岐させる。ステップＳ４０５では、ジョブスケジューラ１０８は、送信先指定情報に含まれる送信先のメールアドレスのドメインからキャリアを特定し、図７に示すデータテーブルを参照し、当該キャリアに関連付けられたデータ形式を特定し、変換部１１６が、画像データのデータ形式を当該ドメインに関連付けられたデータ形式に変更する。
【００４２】
ステップＳ４０６では、ジョブスケジューラ１０８は、送信先指定情報が示す総ての送信先について、ステップＳ４０３〜ステップＳ４０５の処理を実行したか否か判断する。総ての送信先について当該処理を実行していない場合には（ｎｏ）、処理をステップＳ４０３に戻し、総ての送信先について当該処理を実行する。一方、総ての送信先について当該処理を実行した場合には（ｙｅｓ）、処理がステップＳ４０７に分岐する。ステップＳ４０７では、メール処理部１１８が、データ形式が変換された画像データをメールに添付し、送信先指定情報が示す送信先に当該メールを送信し、ステップＳ４０８で処理が終了する。
【００４３】
上述した実施形態では、画像処理装置が、送信先である情報処理装置それぞれが処理可能なデータ形式に前記画像データのデータ形式を変換するため、ユーザが画像データのデータ形式を指定して変換する必要がなく、ユーザビリティを向上させることができる。また、ユーザが１度に複数の送信先を指定して画像データの送信を指示した場合に、画像処理装置が、送信先である情報処理装置それぞれが処理可能なデータ形式に前記画像データのデータ形式を変換するため、ユーザが送信先毎に画像データのデータ形式を指定して変換する必要がなく、ユーザビリティがさらに向上する。
【００４４】
図５は、ユーザ情報が登録されるユーザ情報テーブルの一実施形態を示す図である。ユーザ情報テーブル５００には、ユーザ名５０１と、当該ユーザが所属する所属部署５０２と、当該ユーザの電話番号５０３と、当該ユーザのメールアドレス５０４と、データ形式５０５とが関連付けて登録される。
【００４５】
ユーザ名５０１は、画像データの送信先である情報処理装置のユーザ名である。所属部署５０２は、ユーザ名５０１が示すユーザが所属する部署である。電話番号５０３は、ユーザ名５０１が示すユーザの電話番号であ る。メールアドレス５０４は、ユーザ名５０１が示すユーザの情報処理装置のメールアドレスである。データ形式５０５は、当該情報処理装置が処理可能な画像データのデータ形式である。
【００４６】
図６は、図３に示す実施形態の画像処理装置が、画像データの送信先である情報処理装置が処理可能なデータ形式を特定するために使用するデータテーブルの一実施形態を示す図である。
【００４７】
データテーブル６００には、ドメイン名６０１と、データ形式６０２とが関連付けて登録される。ドメイン名６０１は、画像データの送信先である情報処理装置に割り当てられるメールアドレスに含まれるドメイン名である。データ形式６０２は、当該情報処理装置が処理可能な画像データのデータ形式である。
【００４８】
図７は、図４に示す実施形態の画像処理装置が、画像データの送信先である情報処理装置が処理可能なデータ形式を特定するために使用するデータテーブルの一実施形態を示す図である。
【００４９】
データテーブル７００には、情報処理装置種類７０１と、データ形式７０２とが関連付けて登録される。情報処理装置種類７０１は、画像データの送信先である情報処理装置の種類である。データ形式７０２は、当該情報処理装置が処理可能な画像データのデータ形式である。図７に示すデータテーブル７００では、スマートフォン以外の携帯電話およびタブレット端末以外のＰＣに種々のデータ形式が割り当てられている。
【００５０】
データテーブル７０３には、キャリア名７０４と、データ形式７０５とが関連付けて登録される。キャリア名７０４は、画像データの送信先である情報処理装置のキャリアの名称である。データ形式７０５は、当該情報処理装置が処理可能な画像データのデータ形式である。
【００５１】
図７に示す実施形態では、画像データの送信先である情報処理装置の種類が、スマートフォン以外の携帯電話およびタブレット端末以外のＰＣである場合には、画像処理装置１００は、データテーブル７００を参照し、情報処理装置の種類に基づいて、画像データのデータ形式を特定する。一方、画像データの送信先である情報処理装置の種類がスマートフォンまたはタブレット端末である場合には、画像処理装置１００は、データテーブル７００およびデータテーブル７０３を参照し、情報処理装置の種類および当該情報処理装置のキャリアに基づいて、画像データのデータ形式を特定する。
【００５２】
図７に示す実施形態では、画像データが送信される情報処理装置として、スマートフォンや携帯電話、タブレット端末およびＰＣが採用されているが、画像データを表示可能な如何なる情報処理装置を採用することができる。
【００５３】
これまで本実施形態につき説明してきたが、本発明は、上述した実施形態に限定されるものではなく、本実施形態の構成要素を変更若しくは削除し、または本実施形態の構成要素を他の構成要素を追加するなど、当業者が想到することができる範囲内で変更することができ、いずれの態様においても本発明の作用効果を奏する限り、本発明の範囲に含まれるものである。
【００５４】
上述した機能手段を実現する本発明のプログラムは、ハードディスク装置、ＣＤ−ＲＯＭ、ＭＯ、フレキシブルディスク、ＥＥＰＲＯＭ、ＥＰＲＯＭなどの装置可読な記録媒体に格納して頒布することができ、また他装置が可能な形式でネットワークを介して伝送することができる。
【符号の説明】
【００５５】
１００…画像処理装置、１０２…操作パネル、１０４…ＵＩ制御部、１０６…記憶装置、１０８…ジョブスケジューラ、１１０…スキャナ制御部、１１２…スキャナ、１１４…画像処理部、１１６…変換部、１１８…メール処理部、１２０…通信制御部
【先行技術文献】
【特許文献】
【００５６】
【特許文献１】特開２００８−１４１５０６号公報
【図１】
2013192150.tif 000003
【図２】
2013192150.tif 000004
【図３】
2013192150.tif 000005
【図４】
2013192150.tif 000006
【図５】
2013192150.tif 000007
【図６】
2013192150.tif 000008
【図７】
2013192150.tif 000009